(57)【特許請求の範囲】
【請求項１】
水を貯水するタンクと、前記タンクに水を供給する供給手段と、前記タンクに貯水された水を便器に排出する排出手段と、前記タンクの水位を検出する水位検出手段と、使用者の操作を受け付ける受付手段と、を備えるタンク装置であって、
前記受付手段が前記操作を受け付けると、前記水位検出手段の検出結果に基づいて前記供給手段及び前記排出手段を制御して前記便器を洗浄する第１洗浄モードを含む洗浄に係る複数のモードの中から、一つのモードを実行する実行手段と、
前記実行手段が前記第１洗浄モードを実行して前記タンクの異常及び／または前記水位検出手段のＯＮまたはＯＦＦの遷移に異常があると、前記水位検出手段の検出結果に基づいて異常の種類を判別する判別手段と、
前記判別手段が判別した異常の種類を記憶する記憶手段と、
前記受付手段が前記操作を受け付けたときの前記実行手段が実行するモードを、前記記憶手段に記憶された前記異常の種類に応じて、前記複数のモードの中から、前記第１洗浄モードと異なる制御で前記便器を洗浄する第２洗浄モード及び前記便器の洗浄を禁止する禁止モードの何れか一つを自動的に選択する選択手段と、
をさらに備えるタンク装置。
【請求項２】
前記異常が解消されると、前記受付手段が前記操作を受け付けたときの前記実行手段が実行するモードを、前記第２洗浄モードから前記第１洗浄モードに戻す復帰手段、
をさらに備える請求項１に記載のタンク装置。
【請求項３】
前記記憶手段には、過去データ及び設定データの少なくとも一方が記憶され、
前記第２洗浄モードでは、前記記憶手段に記憶されたデータに基づいて前記供給手段及び前記排出手段を制御して前記便器を洗浄する、
請求項１又は請求項２に記載のタンク装置。
【請求項４】
便器と、水を貯水するタンクと、前記タンクに水を供給する供給手段と、前記タンクに貯水された水を便器に排出する排出手段と、前記タンクの水位を検出する水位検出手段と、使用者の操作を受け付ける受付手段と、を備えるトイレ装置であって、
前記受付手段が前記操作を受け付けると、前記水位検出手段の検出結果に基づいて前記供給手段及び前記排出手段を制御して前記便器を洗浄する第１洗浄モードを含む洗浄に係る複数のモードの中から、一つのモードを実行する実行手段と、
前記実行手段が前記第１洗浄モードを実行して前記タンクの異常及び／または前記水位検出手段のＯＮまたはＯＦＦの遷移に異常があると、前記水位検出手段の検出結果に基づいて異常の種類を判別する判別手段と、
前記判別手段が判別した異常の種類を記憶する記憶手段と、
前記受付手段が前記操作を受け付けたときの前記実行手段が実行するモードを、前記記憶手段に記憶された前記異常の種類に応じて、前記複数のモードの中から、前記第１洗浄モードと異なる制御で前記便器を洗浄する第２洗浄モード及び前記便器の洗浄を禁止する禁止モードの何れか一つを自動的に選択する選択手段と、
をさらに備えるトイレ装置。
【発明の詳細な説明】
【技術分野】
【０００１】
本発明は、タンク装置及びトイレ装置に関する。
【背景技術】
【０００２】
従来から、タンク内の水位を検出する水位検出手段の検出結果に基づいて便器洗浄を行うタンク装置及びこれを備えたトイレ装置が知られている。
【０００３】
これに関して特許文献１には、タンク又は水位検出手段に異常があっても、水位検出手段の検出結果に基づいた便器洗浄を禁止すると共に、使用者による特殊操作に応じてタイマー制御による便器洗浄が行う技術が開示されている。
【先行技術文献】
【特許文献】
【０００４】
【特許文献１】特開２０１３−２９０１８号公報
【発明の概要】
【発明が解決しようとする課題】
【０００５】
しかしながら、特許文献１に記載の技術では、便器洗浄が一旦禁止されるものの、異常の種類の認識をして軽微な異常と判断した使用者の特殊操作があると再び異なる制御で便器洗浄されるため、使用者が異常の種類を正しく認識することができなければ、便器洗浄がされた方がよいときに便器洗浄がされなかったり、便器洗浄が禁止された方がよいときにまで便器洗浄がされたり、する虞があった。
【０００６】
そこで、本発明は、上述した課題を解決するためになされたものであり、タンク又は水位検出手段に異常があったときに、便器洗浄を適切に行うことができるタンク装置を提供することを目的の一つとしている。
【課題を解決するための手段】
【０００７】
本発明の第１態様に係るタンク装置は、水を貯水するタンクと、前記タンクに水を供給する供給手段と、前記タンクに貯水された水を便器に排出する排出手段と、前記タンクの水位を検出する水位検出手段と、使用者の操作を受け付ける受付手段と、を備えるタンク装置であって、前記受付手段が前記操作を受け付けると、前記水位検出手段の検出結果に基づいて前記供給手段及び前記排出手段を制御して前記便器を洗浄する第１洗浄モードを含む洗浄に係る複数のモードの中から、一つのモードを実行する実行手段と、前記実行手段が前記第１洗浄モードを実行して前記タンクの異常及び／または前記水位検出手段のＯＮまたはＯＦＦの遷移に異常があると、前記水位検出手段の検出結果に基づいて異常の種類を判別する判別手段と、前記判別手段が判別した異常の種類を記憶する記憶手段と、前記受付手段が前記操作を受け付けたときの前記実行手段が実行するモードを、前記記憶手段に記憶された前記異常の種類に応じて、前記複数のモードの中から、前記第１洗浄モードと異なる制御で前記便器を洗浄する第２洗浄モード及び前記便器の洗浄を禁止する禁止モードの何れか一つを自動的に選択する選択手段と、をさらに備える。
【０００８】
この構成によれば、タンク装置に異常、例えば水位検出手段の故障やタンクの漏水があっても、判別手段が水位検出手段の検出結果に基づいて異常の種類を判別するので、使用者が外見だけで異常を判別する場合に比べて、異常の種類をより正しく認識することができる。そして、選択手段が、判別手段が判別した異常の種類に応じて、複数のモードの中から、第１洗浄モードと異なる制御で便器を洗浄する第２洗浄モード及び便器の洗浄を禁止する禁止モードの何れか一つを選択するので、異常の種類と合わないモードが選択されるという誤選択が抑制されて、便器洗浄を適切に行うことができる。
【０００９】
本発明の第４態様に係るタンク装置は、便器と、水を貯水するタンクと、前記タンクに水を供給する供給手段と、前記タンクに貯水された水を便器に排出する排出手段と、前記タンクの水位を検出する水位検出手段と、使用者の操作を受け付ける受付手段と、を備えるトイレ装置であって、前記受付手段が前記操作を受け付けると、前記水位検出手段の検出結果に基づいて前記供給手段及び前記排出手段を制御して前記便器を洗浄する第１洗浄モードを含む洗浄に係る複数のモードの中から、一つのモードを実行する実行手段と、前記実行手段が前記第１洗浄モードを実行して前記タンクの異常及び／または前記水位検出手段のＯＮまたはＯＦＦの遷移に異常があると、前記水位検出手段の検出結果に基づいて異常の種類を判別する判別手段と、前記判別手段が判別した異常の種類を記憶する記憶手段と、前記受付手段が前記操作を受け付けたときの前記実行手段が実行するモードを、前記記憶手段に記憶された前記異常の種類に応じて、前記複数のモードの中から、前記第１洗浄モードと異なる制御で前記便器を洗浄する第２洗浄モード及び前記便器の洗浄を禁止する禁止モードの何れか一つを自動的に選択する選択手段と、をさらに備える。
【００１０】
この構成によれば、異常が解消されて、受付手段が操作を受け付けると、水位検出手段の検出結果に基づいて供給手段及び排出手段を制御して便器を洗浄する第１洗浄モードが実行されることになるので、より正確な洗浄水量で便器を洗浄することができる。
【００１１】
本発明の第３態様に係るタンク装置では、第１態様又は第２態様において、前記記憶手段には、過去データ及び設定データの少なくとも一方が記憶され、前記第２洗浄モードでは、前記記憶手段に記憶されたデータに基づいて前記供給手段及び前記排出手段を制御して前記便器を洗浄する。
【００１２】
この構成によれば、水位検出手段の検出結果に基づいた第１洗浄モードと同様の洗浄動作を第２洗浄モードで実現することができる。
【００１３】
本発明の第４態様に係るタンク装置は、便器と、水を貯水するタンクと、前記タンクに水を供給する供給手段と、前記タンクに貯水された水を便器に排出する排出手段と、前記タンクの水位を検出する水位検出手段と、使用者の操作を受け付ける受付手段と、を備えるトイレ装置であって、前記受付手段が前記操作を受け付けると、前記水位検出手段の検出結果に基づいて前記供給手段及び前記排出手段を制御して前記便器を洗浄する第１洗浄モードを含む洗浄に係る複数のモードの中から、一つのモードを実行する実行手段と、前記実行手段が前記第１洗浄モードを実行して前記トイレ装置に異常があると、前記水位検出手段の検出結果に基づいて異常の種類を判別する判別手段と、前記判別手段が判別した異常の種類を記憶する記憶手段と、前記受付手段が前記操作を受け付けたときの前記実行手段が実行するモードを、前記記憶手段に記憶された前記異常の種類に応じて、前記複数のモードの中から、前記第１洗浄モードと異なる制御で前記便器を洗浄する第２洗浄モード及び前記便器の洗浄を禁止する禁止モードの何れか一つを選択する選択する選択手段と、をさらに備える。
【００１４】
この構成によれば、トイレ装置に異常、例えば水位検出手段の故障やタンクの漏水があっても、判別手段が水位検出手段の検出結果に基づいて異常の種類を判別するので、使用者が外見だけで異常を判別する場合に比べて、異常の種類をより正しく認識することができる。そして、選択手段が、判別手段が判別した異常の種類に応じて、複数のモードの中から、第１洗浄モードと異なる制御で便器を洗浄する第２洗浄モード及び便器の洗浄を禁止する禁止モードの何れか一つを選択するので、異常の種類と合わないモードが選択されるという誤選択が抑制されて、便器洗浄を適切に行うことができる。
【発明の効果】
【００１５】
本発明によれば、タンク又は水位検出手段に異常があったときに、便器洗浄を適切に行うことができる。
【図面の簡単な説明】
【００１６】
【図１】本発明の実施形態に係るトイレ装置の側面図である。
【図２】本発明の実施形態に係るトイレ装置のタンク装置のハード構成を示す図である。
【図３】本発明の実施形態に係るトイレ装置のタンク装置の機能構成を示す図である。
【図４】正常時洗浄モードが実行されたときの洗浄動作を示すタイムチャートである。
【図５】本発明の実施形態に係るタンク装置の各機能構成による便器洗浄のフローチャートを示す図である。
【図６】タンク装置が正常及び異常の種類毎における、正常時洗浄モード実行中の上端フロートスイッチのＯＮとＯＦＦの状態の遷移を示す図である。
【図７】本発明の実施形態による異常時洗浄モードにおける便器洗浄動作を示すタイムチャートの一例である。
【発明を実施するための形態】
【００１７】
以下、添付図面を参照しながら本発明の実施形態について説明する。理解を容易にするため、各図面において同一の構成要素に対しては可能な限り同一の符号を付し、重複する説明は省略する。
【００１８】
＜全体構成＞
まず、本発明の実施形態に係るタンク装置を備えたトイレ装置の構成を説明する。
【００１９】
図１は、本発明の実施形態に係るトイレ装置１の側面図である。
【００２０】
図１に示すように、本実施形態に係るトイレ装置１は、便器２と、この便器２の上面に配置された便座４と、便座４を覆うように配置されたカバー６と、便器２の後方上部に配置された局部洗浄装置８と、を備えている。さらに、便器２の後方には、タンク装置１０が配置されており、このタンク装置１０は例えばサイドパネル１１により覆われている。
【００２１】
便器２には、汚物を受けるボウル部１２と、このボウル部１２の底部から延びる排水トラップ管路１４と、ジェット吐水を行うジェット吐水口１６と、リム吐水を行うリム吐水口１８と、が形成されている。
【００２２】
ジェット吐水口１６は、ボウル部１２の底部に形成されており、排水トラップ管路１４の入口に指向してほぼ水平に配置され、洗浄水を排水トラップ管路１４に向けて吐出するようになっている。リム吐水口１８は、ボウル部１２の左側上部後方に形成されており、ボウル部１２の上縁に沿って洗浄水を吐出するようになっている。
【００２３】
排水トラップ管路１４は、入口部１４ａと、この入口部１４ａから上昇するトラップ上昇管１４ｂと、このトラップ上昇管１４ｂから下降するトラップ下降管１４ｃとからなり、トラップ上昇管１４ｂとトラップ下降管１４ｃとの間が頂部１４ｄとなっている。ここで、排水トラップ管路１４のトラップ下降管１４ｃの下端には、排水管１５が接続されている。
【００２４】
本実施形態に係るトイレ装置１は、例えば洗浄水を供給する水道に直結されており、水道の給水圧力によりリム吐水口１８から洗浄水が吐出される。また、ジェット吐水に関しては、後述するように、タンク装置１０に内蔵された貯水タンク２０に貯水された洗浄水を加圧ポンプ２２によって加圧して、大流量でジェット吐水口１６から吐出させるようになっている（図２参照）。
【００２５】
＜タンク装置１０のハード構成＞
次に、本実施形態に係るトイレ装置１のタンク装置１０のハード構成について説明する。図２は、本発明の実施形態に係るトイレ装置１のタンク装置１０のハード構成を示す図である。
【００２６】
図２に示すように、タンク装置１０は、貯水タンク２０と、その他の周辺の構成と、を含んで構成されている。
【００２７】
具体的には、このタンク装置１０には、水道から水としての洗浄水が供給される給水路２４が設けられ、この給水路２４には、上流側から、止水栓２６、ストレーナ２８、分岐金具３０、定流量弁３２、ダイヤフラム式の電磁開閉弁３４、給水路切替弁３６がそれぞれ設けられている。
【００２８】
これらの定流量弁３２、電磁開閉弁３４、及び、給水路切替弁３６は、後述するように、バルブユニット３７として、一体的に組み立てられたものとなっている。また、給水路切替弁３６の下流側には、リム吐水口１８に洗浄水を供給するためのリム側給水路３８、及び、貯水タンク２０に洗浄水を供給するためのタンク側給水路４０が接続されている。
【００２９】
ここで、定流量弁３２は、止水栓２６、ストレーナ２８、分岐金具３０を介して流入した洗浄水を、所定の流量以下に絞るためのものである。また、定流量弁３２を通過した洗浄水は、電磁開閉弁３４に流入し、電磁開閉弁３４を通過した洗浄水は、給水路切替弁３６により、リム側であるリム側給水路３８からリム吐水口１８へ、又は、タンク側であるタンク側給水路４０から貯水タンク２０に供給されるようになっている。ここで、給水路切替弁３６は、リム側給水路３８とタンク側給水路４０の両方に同じタイミングで洗浄水を供給可能であって、リム側とタンク側への給水量の割合を任意に変更できる切替弁である。
【００３０】
また、貯水タンク２０の下部には、ポンプ側給水路４５が接続されており、このポンプ側給水路４５の下流端にはポンプ室２２ａを備えた加圧ポンプ２２が接続されている。さらに、加圧ポンプ２２とジェット吐水口１６はジェット側給水路４６により接続されており、加圧ポンプ２２が、貯水タンク２０に貯水された洗浄水を加圧してジェット吐水口１６まで供給するようになっている。
【００３１】
ジェット側給水路４６は、上方に向けて凸型に形成されており、この凸型部分の頂部４６ａが最高位置となっている。
【００３２】
次に、上述したリム側給水路３８には、リム吐水用バキュームブレーカ４８が設けられており、給水路２４に負圧が発生した時に洗浄水のリム吐水口１８からの逆流を防止している。また、リム吐水用バキュームブレーカ４８は、ボウル部１２の上端面よりも上方に配置され、これにより、逆流を確実に防止している。さらに、リム吐水用バキュームブレーカ４８の大気開放部から溢れた洗浄水は、戻り管路５０を通って貯水タンク２０に流入するようになっている。
【００３３】
タンク側給水路４０にも、逆止弁であるバキュームブレーカ４２が設けられており、洗浄水の貯水タンク２０からの逆流を防止している。
【００３４】
ここで、貯水タンク２０は、密閉タイプの貯水タンクであり、タンク側給水路４０と貯水タンク２０の接続部には、ボール式逆止弁４３が設けられている。このボール式逆止弁４３により、貯水タンク２０が後述するオーバーフロー流路７０の上端７０ａの位置を越えて満水状態になった場合でも、ボール４３ａが浮上して、タンク側給水路４０との接続部を閉鎖するので、洗浄水がタンク側給水路４０に逆流することがないようになっている。
【００３５】
同様に、戻り管路５０と貯水タンク２０の接続部にも、同様に、ボール式逆止弁４４が設けられており、貯水タンク２０が後述するオーバーフロー流路７０の上端７０ａの位置を越えて満水状態になった場合でも、洗浄水が戻り管路５０に逆流することはないようになっている。
【００３６】
さらに、ポンプ側給水路４５には、逆止弁であるジェット吐水用フラッパー弁５６及び水抜栓５８が設けられている。これらのジェット吐水用フラッパー弁５６及び水抜栓５８は、加圧ポンプ２２よりも下方の、貯水タンク２０の下端部付近の高さに配置されている。このため、水抜栓５８を開放することにより、メンテナンス時等に貯水タンク２０内及び加圧ポンプ２２内の洗浄水を排出することができるようになっている。また、貯水タンク２０と加圧ポンプ２２の間にジェット吐水用フラッパー弁５６を配置することにより、貯水タンク２０内の水位が加圧ポンプ２２の高さよりも低くなった場合に、洗浄水が加圧ポンプ２２から貯水タンク２０に逆流し、加圧ポンプ２２内の洗浄水が抜け加圧ポンプ２２が空運転してしまうことを防止している。また、加圧ポンプ２２の下方には、水受けトレイ６０が配置されており、結露した水滴や漏水を受けるようになっている。
【００３７】
タンク装置１０には、電磁開閉弁３４の開閉操作、給水路切替弁３６の切替操作、及び、加圧ポンプ２２の回転数や作動時間等を制御するコントローラ６２が内蔵されている。
【００３８】
また、使用者が便器洗浄を開始する際、ＯＮ操作する洗浄スイッチ６３（６３ａ，６３ｂ）が設けられており、この洗浄スイッチ６３は、コントローラ６２に接続されている。この洗浄スイッチ６３は、便器本体に設けられた洗浄スイッチ６３ａ（カバー等により覆われているため主にメーカの作業員等の限られた人が操作可能となっている）とリモコン部に設けられた洗浄スイッチ６３ｂ（便器使用者が使用する）を備えている。
【００３９】
さらに、貯水タンク２０等に異常が発生した場合に、使用者が洗浄スイッチ６３をＯＮ操作したときに、その旨を報知するための異常報知装置６５が設けられている。この異常報知装置６５は、使用者に異常を報知するためその旨のアナウンスを行う音声や異常報知音（ブーブー）等を発生させる音声装置６５ａと、既設の複数のＬＥＤを自動点滅させるＬＥＤ点滅装置６５ｂを備えている。
【００４０】
貯水タンク２０の内部には、水位検出手段としての、上端フロートスイッチ６４ａ及び下端フロートスイッチ６４ｂが配置されている。上端フロートスイッチ６４ａは、貯水タンク２０内の水位が通常使用時の最高水位Ｌ１より少しだけ低い所定位置Ｌ２に達するとオンに切り替わり、コントローラ６２はこれを検知して、電磁開閉弁３４を閉鎖させる。
【００４１】
下端フロートスイッチ６４ｂは、貯水タンク２０内の水位が通常使用時の最低水位Ｌ４より少しだけ高い所定の水位Ｌ３まで低下するとオンに切り替わり、コントローラ６２はこれを検知して、加圧ポンプ２２を停止させる。具体的には、上端フロートスイッチ６４ａは、洗浄水の水位がＬ１とＬ２の間にあるときはＯＮ（水あり）となり、水位がＬ２より低い場合にはＯＦＦ（水なし）となる。また、下端フロートスイッチ６４ｂは、洗浄水の水位がＬ３より高い場合にはＯＦＦ（水あり）となり、水位がＬ３とＬ４の間にあるときはＯＮ（水なし）となる。
【００４２】
さらに、オーバーフロー流路７０が設けられ、このオーバーフロー流路７０の上端７０ａは貯水タンク２０内に開口し、その下端７０ｂは、ジェット側給水路４６に接続されている。
【００４３】
このオーバーフロー流路７０には逆止弁であるフラッパー弁７２が取り付けられている。このオーバーフロー流路７０及びフラッパー弁７２により、洗浄水のジェット吐水口１６からの逆流を防止すると共に、これらの間の縁切りを行うことができるようになっている。
【００４４】
コントローラ６２は、使用者による洗浄スイッチ６３（６３ｂ）のＯＮ操作により、電磁開閉弁３４、給水路切替弁３６、加圧ポンプ２２を順次作動させ、先ずリム吐水口１８から吐水し、リム吐水を継続させながら、次にジェット吐水口１６からの吐水を開始させて、ボウル部１２を洗浄する。さらに、コントローラ６２は、洗浄終了後、電磁開閉弁３４を開放し、給水路切替弁３６を貯水タンク２０側に切り替えて洗浄水を貯水タンク２０に補給する。貯水タンク２０内の水位が上昇し、上端フロートスイッチ６４ａが規定の貯水量を検出すると、コントローラ６２は、電磁開閉弁３４を閉鎖して給水を停止する。
【００４５】
＜機能構成＞
次に、本実施形態に係るトイレ装置１のタンク装置１０の機能構成について説明する。図３は、本発明の実施形態に係るトイレ装置１のタンク装置１０の機能構成を示す図である。
【００４６】
タンク装置１０は、機能構成として、受付手段１００と、排出手段１０２と、供給手段１０４と、水位検出手段１０６と、を備えている。さらに、タンク装置１０は、機能構成として、記憶手段１０８と、実行手段１１０と、判別手段１１２と、選択手段１１４と、復帰手段１１６と、を備えている。なお、記憶手段１０８以降の各手段は、本実施形態では、一つのコントローラ６２によって実現されているが、別々のコントローラによって実現されてもよい。
【００４７】
受付手段１００は、使用者の操作（洗浄開始操作）を受け付けるもので、例えば、上記洗浄スイッチ６３である。
【００４８】
排出手段１０２は、貯水タンク２０に貯水された洗浄水を便器２に排出するもので、例えば、電磁開閉弁３４、給水路切替弁３６及び加圧ポンプ２２である。
【００４９】
供給手段１０４は、貯水タンク２０に水を供給するもので、例えば、電磁開閉弁３４及び給水路切替弁３６である。
【００５０】
水位検出手段１０６は、貯水タンク２０の水位を検出するもので、例えば、上端フロートスイッチ６４ａ及び下端フロートスイッチ６４ｂである。
【００５１】
記憶手段１０８は、コントローラ６２外でタンク装置１０筐体内の内部記憶装置であってもよいし、外部記憶装置であってもよい。記憶手段１０８には、例えば、過去データ１０８Ａ及び設定データ１０８Ｂの少なくとも何れか一つが記憶されている。また、記憶手段１０８には、判別手段１１２が判別した異常の種類も記憶される。
【００５２】
過去データ１０８Ａは、タンク装置１０の故障前に正常に洗浄動作が行われたいたときに、計時手段や流量センサ等のタンク装置１０の取得手段（不図示）によって取得された、洗浄時間や給水時間、給水流量等の過去のデータである。過去データ１０８Ａは、直前の洗浄動作に近づけるという観点から、故障直前のデータであることが好ましい。また、環境変化にも対応させるという観点から、データの平均値であることが好ましい。
なお、「洗浄時間」とは、例えば、便器洗浄が開始されてから下端フロートスイッチ６４ｂがＯＮからＯＦＦになるまでの間の時間である。また、「給水時間」とは、例えば、便器洗浄が終了した後上端フロートスイッチ６４ａがＯＦＦからＯＮになるまでの間の時間である。また、「給水流量」とは、例えば、上記給水時間を流量に換算したものや、流量センサが設けられている場合にその流量センサにより測定された給水流量である。
【００５３】
設定データ１０８Ｂは、設計者や管理者等により、設計時の計算やシュミレーション等により求められた、洗浄時間や給水時間、給水流量等のデータである。
【００５４】
実行手段１１０は、受付手段１００が操作を受け付けると、水位検出手段１０６の検出結果に基づいて供給手段１０４及び排出手段１０２を制御して便器２を洗浄する第１洗浄モードを含む洗浄に係る複数のモードの中から、一つのモードを実行する手段である。
【００５５】
判別手段１１２は、実行手段１１０が第１洗浄モードを実行してタンク装置１０に異常があると、水位検出手段１０６の検出結果に基づいて異常の種類を判別する手段である。
【００５６】
選択手段１１４は、受付手段１００が操作を受け付けたときの実行手段１１０が実行するモードを、判別手段１１２が判別した異常の種類に応じて、複数のモードの中から、第１洗浄モードと異なる制御で便器２を洗浄する第２洗浄モード及び便器２の洗浄を禁止する禁止モードの何れか一つを選択する手段である。
【００５７】
復帰手段１１６は、異常が解消されると、受付手段１００が操作を受け付けたときの実行手段１１０が実行するモードを、第２洗浄モードから第１洗浄モードに戻す手段である。
【００５８】
＜第１洗浄モードによる便器洗浄＞
次に、各機能構成による便器洗浄の流れを説明する前に、実行手段１１０による第１洗浄モードの実行について説明する。第１洗浄モードは、以下では「正常時洗浄モード」と称す。
【００５９】
図４は、正常時洗浄モードが実行されたときの洗浄動作を示すタイムチャートである。
【００６０】
図４に示すように、先ず、待機状態（時刻ｔ０〜ｔ１）において、給水路切替弁３６は、リム側給水路３８とタンク側給水路４０の両方に連通する中立位置となっている。即ち、給水路切替弁３６はリム側５０％貯水タンク側５０％の状態となっている。
【００６１】
次に、この待機状態（時刻ｔ０〜ｔ１）で、洗浄スイッチ６３をＯＮ操作する（時刻ｔ１）と、即ち、洗浄開始の信号を受けると、前リム吐水（時刻ｔ１〜ｔ１１）が開始される。このとき（時刻ｔ１）、給水路切替弁３６は、リム側５０％貯水タンク側５０％の中立位置から、タンク側給水路４０に全開状態（タンク側１００％）の位置に切り替えられ、時刻ｔ２〜ｔ３の間、この状態が保持される。
【００６２】
次に、給水路切替弁３６がタンク側１００％になったとき、即ち、時刻ｔ２において、電磁開閉弁３４をＯＮとして、洗浄水を給水路２４に流入させる。これにより、給水路切替弁３６の上流側にある給水路２４内に残留する圧縮空気を貯水タンク２０内に排出することができる。この結果、給水路切替弁３６をいきなりリム側であるリム側給水路３８に切り替えた場合に生じるリム吐水口１８からの空気の異音（排出音）の発生や水はね等を防止することができる。
【００６３】
次に、時刻ｔ３〜ｔ４の間に、給水路切替弁３６をタンク側全開位置（貯水タンク側１００％）からリム側全開位置（リム側１００％）に徐々に切り替え、洗浄水をリム吐水口１８へ少量づつ供給し、洗浄水をリム吐水口１８から吐水する。これにより、リム吐水口１８に大量の洗浄水が一気に供給されることなく、リム吐水口１８に徐々に洗浄水が供給されるので、給水路切替弁３６の下流側のリム側給水路３８内に残留する空気をリム吐水口１８からスムーズに排出することができ、それにより、残留空気が一気に排出されるときに生じる異音の発生や水はね等も防止することができる。
【００６４】
次に、時刻ｔ２から所定時間（例えば、５秒）経過後、時刻ｔ５〜ｔ１１の間において、ジェット吐水を行うために、加圧ポンプ２２をＯＮとし、加圧ポンプ２２が貯水タンク２０内の洗浄水をジェット吐水口１６へ供給し、洗浄水をジェット吐水口１６から吐水する。
【００６５】
このジェット吐水のとき、加圧ポンプ２２の回転数をコントローラ６２が以下のように制御する。
先ず、加圧ポンプ２２は、時刻ｔ６〜ｔ７において、比較的低速（例えば、１０００ｒｐｍ）に保持され、これにより、ジェット側給水路４６の頂部４６ａの近傍（即ち、ボウル部１２の溜水面より上方に位置する部分）に在留する空気をゆっくりとジェット吐水口１６から排出する。この結果、加圧ポンプ２２をいきなり本来の高速回転で始動した場合に生じるジェット吐水口１６からの空気の排出音の発生を防止することができる。
【００６６】
次に、時刻ｔ８〜ｔ９において、加圧ポンプ２２を高速回転（例えば、３５００ｒｍｐ）させる。これにより、加圧ポンプ２２による加圧力が大きくなり、ジェット吐水口１６から大流量の洗浄水が吐水される。このとき、リム吐水口１８から継続してリム吐水がなされているので、リム吐水口１８から吐水される洗浄水の流量が加わり、大流量の洗浄水が、排水トラップ管路１４の入口部１４ａに流入し、サイホン現象が急速に引き起こされ、ボウル部１２内の溜水及び汚物が素早く排出される。このとき、排水トラップ管路１４の入口部１４ａに流入する流量（第１の流量）は、リム吐水による流量とジェット吐水による流量の合計で、７５リットル／分〜１２０リットル／分であり、従来と比較して大流量となっている。
【００６７】
次に、時刻ｔ９〜ｔ１１において、排水トラップ管路１４の入口部１４ａに流入する洗浄水の流量（第２の流量）を、上記の流量（第１の流量）よりも少ない流量とするために、加圧ポンプ２２の回転数を少し低減させる。この図４の例では、第２の流量を排水トラップ管路１４の入口部１４ａに流入させるために、加圧ポンプ２２の回転数を２段階（例えば、３３００ｒｍｐと３２００ｒｐｍ）に減速させるようになっている。このとき、加圧ポンプ２２の回転数は、１段階で変化させなくてもよく、また、３段階以上に減速させるようにしてもよい。
【００６８】
このようにして、第１の流量により発生したサイホン現象が終了する直前（時刻ｔ９）に、排水トラップ管路１４の入口部１４ａに第１の流量よりも少ない第２の流量の洗浄水を流入させているので、汚物搬出可能な流速を生じさせかつ排水トラップ管路１４の何れかの部位の断面をシールしてサイホン作用を継続させることができる。
【００６９】
次に、時刻ｔ１１において、貯水タンク２０内の洗浄水の水位がＬ３よりも低下して、下端フロートスイッチ６４ｂがＯＮとなると、加圧ポンプ２２の作動を停止する。このとき、加圧ポンプ２２の回転数を、ジェット吐水口１６からの吐水が漸減するように、時刻ｔ１１から時刻ｔ１２までの間、ゆっくりと低減させる。これにより、サイホン作用が急激に途切れることにより生じるサイホン切れ音の発生を防止することができる。
【００７０】
時刻ｔ１１において、ジェット吐水は終了したが、このとき、リム吐水は依然として継続しており、時刻ｔ１１から時刻ｔ１３までの所定時間（例えば、４秒）、リム吐水（後リム吐水）だけ継続される。この後、時刻ｔ１３〜ｔ１４において、給水路切替弁３６をリム側全開からタンク側全開に切り替える。これにより、貯水タンク２０内に洗浄水が貯水される。
【００７１】
次に、時刻ｔ１５において、貯水タンク２０内の水位がＬ２よりも上昇することにより、上端フロートスイッチ６４ａがＯＮとなり、これにより、電磁開閉弁３４がＯＦＦ（閉操作）となり、洗浄水の貯水タンク２０内への流入が停止される。
【００７２】
次に、時刻ｔ１６において、給水路切替弁３６がリム側とタンク側の両方に連通する中立位置に戻り、待機状態（時刻ｔ０と同じ状態）に復帰する。
【００７３】
＜便器洗浄を含む全体の流れ＞
次に、本実施形態によるタンク装置１０の便器洗浄を含む全体の流れについて詳細に説明する。
【００７４】
図５は、本発明の実施形態に係るタンク装置１０の各機能構成による便器洗浄のフローチャートを示す図である。なお、以下のフローチャートは、タンク装置１０が電源ＯＮされた後、変数ｍ，ｎを初期化（ｍ＝０，ｎ＝０）にした後、電源ＯＦＦまでの間、繰り返される。なお、変数ｍ,ｎは記憶手段１０８に記憶される。
【００７５】
（ステップＳＰ１０）
受付手段１００は、使用者による洗浄開始操作、例えば洗浄スイッチ６３のＯＮ操作を受け付けたか否か判定する。そして、受付手段１００は、肯定判定した場合にはステップＳＰ１２の処理に移行し、否定判定した場合にはステップＳＰ１０の処理に戻る。
【００７６】
（ステップＳＰ１２）
選択手段１１４は、受付手段１００が操作を受け付けたときの実行手段１１０が実行するモードを、複数のモードの中から何れか一つを選択する。本実施形態では、選択手段１１４は、変数ｍ，ｎの値に基づき、第１洗浄モードとしての正常時洗浄モードと、第２洗浄モードとしての異常時洗浄モードと、禁止モードとの中から、何れか一つを自動的に選択する。
一例として、選択手段１１４は、変数ｍが３で変数ｎが３未満である場合（ｍ＝３，ｎ＜３）には、異常時洗浄モードを選択する。選択手段１１４は、変数ｍに係らず変数ｎが３である場合（ｎ＝３）には、禁止モードを選択する。その他の場合には、選択手段１１４は、正常時洗浄モードを選択する。
【００７７】
選択手段１１４は、正常時洗浄モードを選択した場合にはステップＳＰ２０の処理に移行し、異常時洗浄モードを選択した場合にはステップＳＰ５０の処理に移行し、禁止モードを選択した場合にはステップＳＰ４０の処理に移行する。
【００７８】
（ステップＳＰ２０）
実行手段１１０は、選択手段１１４が選択した正常時洗浄モード（図４参照）を実行する。そして、実行手段１１０は、ステップＳＰ２２の処理に移行する。
【００７９】
判別手段１１２は、正常時洗浄モード実行中の水位検出手段１０６の検出結果に基づいてタンク装置１０が正常か否か判定する。例えば、判別手段１１２は、水位検出手段１０６の検出結果として上端フロートスイッチ６４ａのＯＮとＯＦＦの遷移で正常か否か判定する。
【００８０】
図６は、タンク装置１０が正常及び異常の種類毎における、正常時洗浄モード実行中の上端フロートスイッチ６４ａのＯＮとＯＦＦの状態の遷移を示す図である。
【００８１】
判別手段１１２は、図６に示すように、上端フロートスイッチ６４ａの状態が、ＯＮ→ＯＦＦ→ＯＮの遷移であれば、タンク装置１０が正常と判定する。ＯＦＦ→ＯＦＦ→ＯＦＦ等、その他の遷移であれば、タンク装置１０が異常と判定する。図５に戻って、判別手段１１２は、肯定判定（正常判定）した場合にはステップＳＰ２４の処理に移行し、否定判定（異常判定）した場合にはステップＳＰ２６の処理に移行する。
【００８２】
（ステップＳＰ２４）
判別手段１１２は、変数ｍとｎそれぞれに「０」を代入する（ｍ＝０，ｎ＝０）。そして、判別手段１１２は、図５に示す処理を終える。
【００８３】
（ステップＳＰ２６）
判別手段１１２は、実行手段１１０が第１洗浄モードを実行してタンク装置１０に異常があると、水位検出手段１０６の検出結果に基づいて異常の種類を判別する。例えば、判別手段１１２は、水位検出手段１０６の検出結果として上端フロートスイッチ６４ａのＯＮとＯＦＦの遷移で正常か否か判定する。
【００８４】
具体的には、判別手段１１２は、図６に示すように、上端フロートスイッチ６４ａの状態が、ＯＦＦ→ＯＦＦ→ＯＦＦの遷移であれば、タンク装置１０異常の種類が「第１異常」であると判定する。なお、この「第１異常」は、上端フロートスイッチ６４ａがＯＦＦのまま故障している状態である場合と、貯水タンク２０が大きく破損して漏水が大きい状態である場合の、２つの状態を含む。
また、判別手段１１２は、上端フロートスイッチ６４ａの状態が、ＯＮ→ＯＮ→ＯＮの遷移であれば、タンク装置１０の異常の種類が「第２異常」であると判定する。なお、この「第２異常」は、上端フロートスイッチ６４ａがＯＮのまま故障している状態である。
また、判別手段１１２は、上端フロートスイッチ６４ａの状態が、ＯＦＦ→ＯＮ→ＯＦＦ→ＯＮの遷移であれば、タンク装置１０の異常の種類が「第３異常」であると判定する。なお、この「第３異常」は、貯水タンク２０が小さく破損して漏水が小さい状態である場合である。
【００８５】
なお、貯水タンク２０が破損する主な原因として、貯水タンク内の洗浄水が凍結することにより貯水タンクが破損（ひび割れ）することが挙げられる。一方、貯水タンク２０が破損していないが、貯水タンク２０の水抜き作業後に水抜栓５８を締め忘れた、又は、締め方が不十分であった場合も、貯水タンク２０から水漏れが発生する異常状態である。しかし、水抜栓の締め忘れの場合は、その状態で貯水タンク２０に給水して水漏れが発生したことに気づいて水抜栓を正常に締め込めば、貯水タンク２０は正常に利用できる。そのため、上述したように、最終的に判定するのは累積して発生した場合とすることにより（ステップＳＰ２８,３０,１２参照）、使用者の人為的ミスにも係わらず貯水タンク２０の破損であると判断してしまう可能性を低くしている。
【００８６】
図５に戻って、判別手段１１２は、タンク装置１０の異常の種類を第１異常又は第２異常と判定した場合には、ステップＳＰ２８の処理に移行する。
【００８７】
（ステップＳＰ２８）
判別手段１１２は、変数ｍに「１」を加算する（ｍ＝ｍ＋１）。そして、判別手段１１２は、図５に示す処理を終える。
【００８８】
（ステップＳＰ３０）
判別手段１１２は、変数ｎに「１」を加算する（ｎ＝ｎ＋１）。そして、判別手段１１２は、図５に示す処理を終える。
【００８９】
（ステップＳＰ４０）
実行手段１１０は、選択手段１１４が選択した禁止モードを実行する。禁止モードの実行では、便器洗浄が禁止される。すなわち、洗浄スイッチ６３のＯＮ操作を受け付けたとしても、便器洗浄実行せず、待機を行う。この際、実行手段１１０は、異常報知装置６５が作動し、使用者に、音や光を用いて、その旨を報知することが好ましい。具体的には、音声装置６５ａにより、ブザー音（ブーブー）を発生させたり、音声による、便器に水漏れが発生した旨のアナウンス等を行い、及び／又は、ＬＥＤ点滅装置６５ｂにより、局部洗浄装置８等に使用されている複数のＬＥＤの全部を点滅させる。
【００９０】
（ステップＳＰ５０）
実行手段１１０は、選択手段１１４が選択した異常時洗浄モードを実行する。異常時洗浄モードは、正常時洗浄モードと異なる制御で便器２を洗浄するモードである。ただし、正常時洗浄モードと異なる制御であっても、正常時洗浄モードと同様の洗浄ができることが好ましい。したがって、この第２洗浄モードでは、記憶手段１０８に記憶された過去データ１０８Ａ及び設定データ１０８Ｂの少なくとも一方に基づいて、供給手段１０４及び排出手段１０２を制御して便器２を洗浄する、
【００９１】
図７は、本実施形態による異常時洗浄モードにおける便器洗浄動作を示すタイムチャートの一例である。なお、ここでは、図４に示した正常時の洗浄動作と異なる部分のみ説明する。
【００９２】
図７に示すように、ジェット洗浄は、前リム洗浄の一部が終了（時刻ｔ５）したとき開始され、その後、タイマー制御により、過去データ１０８Ａに記述の秒数、例えば４秒間継続して行われるようになっている。正常時は、下端フロートスイッチ６４ｂがＯＮとなったときジェット洗浄を終了していたが、この異常時洗浄モードでは、下端フロートスイッチ６４ｂの機能を停止しているので、このようなタイマー制御により、ジェット洗浄を可能としている。
【００９３】
次に、タンク給水は、後リム洗浄終了間際である時刻ｔ１３において開始され、その後、タイマー制御により、過去データ１０８Ａに記述の秒数、例えば４０秒間継続して行われるようになっている。正常時は、上端フロートスイッチ６４ａがＯＮ（水あり）となったときタンク給水を終了していたが、この異常時洗浄モードでは、上端フロートスイッチ６４ａの機能を停止しているので、このようなタイマー制御により、タンク給水を可能としている。
【００９４】
このように本実施形態においては、異常時洗浄モードを実行することにより、貯水タンク２０からの洗浄水の漏洩が大きい場合（第１異常）やフロートスイッチ６４が異常な場合（第１異常又は第２異常）においても、便器洗浄を行うことができる。
【００９５】
図５に戻って、実行手段１１０は、異常時洗浄モードの実行の際、異常報知装置６５が作動し、使用者に、音や光を用いて、その旨を報知することが好ましい。特に、ステップＳＰ４０での報知と区別させるという観点から、当該報知と異なる方法で報知することがより好ましい。異常時洗浄モードを実行した後は、実行手段１１０は、ステップＳＰ５２の処理に移行する。
【００９６】
（ステップＳＰ５２）
復帰手段１１６は、異常、特にフロートスイッチ６４の異常が解消したか否か判定する。この判定は、例えば、異常時洗浄モード実行時にフロートスイッチ６４が正しくＯＮ・ＯＦＦしているか否かで判定する。復帰手段１１６は、肯定判定した場合にはステップＳＰ５４の処理に移行し、否定判定した場合には図５に示す処理を終える。
【００９７】
（ステップＳＰ５４）
復帰手段１１６は、変数ｍに「０」を代入することにより（ｍ＝０）、受付手段１００が操作を受け付けたときの実行手段１１０が実行するモードを、異常時洗浄モードから正常時洗浄モードに戻す。
【００９８】
＜効果＞
以上、本発明の実施形態に係るタンク装置１０によれば、当該タンク装置１０に異常、例えば水位検出手段１０６の故障や貯水タンク２０の漏水があっても、判別手段１１２が水位検出手段１０６の検出結果に基づいて異常の種類を判別するので、使用者が外見だけで異常を判別する場合に比べて、異常の種類をより正しく認識することができる。そして、選択手段１１４が、判別手段１１２が判別した異常の種類に応じて、複数のモードの中から、第１洗浄モードと異なる制御で便器を洗浄する第２洗浄モード及び便器の洗浄を禁止する禁止モードの何れか一つを選択するので、異常の種類と合わないモードが選択されるという誤選択が抑制されて、便器洗浄を適切に行うことができる。
【００９９】
＜変形例＞
以上、本願の開示する技術の実施形態について説明したが、本願の開示する技術は、上記に限定されるものではない。
【０１００】
例えば、水位検出手段１０６は、上端フロートスイッチ６４ａ及び下端フロートスイッチ６４ｂの２つである場合を説明したが、何れか一方のみであってもよい。また、水位検出手段１０６は、３つ以上のスイッチを含んで構成されてもよい。
【０１０１】
また、異常の種類を、上端フロートスイッチ６４ａの状態遷移で判定する場合を説明したが、上端フロートスイッチ６４ａ及び下端フロートスイッチ６４ｂの状態遷移で判定するようにしてもよい。
【０１０２】
また、異常の種類が第１異常と第２異常とで、同じモード（異常時洗浄モード）が選択される場合を説明したが、互いに異なる洗浄モードが選択されてもよい。
【０１０３】
また、トイレ装置１は、タンク装置１０はサイドパネル１１により覆われて、便器２と一体的な外観とされた場合を説明したが、タンク装置１０が露出され、便器２と別体的な外観とされてもよい。また、便器洗浄の制御の流れは、実施形態に限定されるものではなく、ジェット吐水口１６からのジェット吐水の位置を、リム吐水口１８の代わりとしてリム吐水口１８の位置に設けて、リム吐水口１８から洗浄水を吐出する制御を省略してもよい。
【０１０４】
前述した各実施の形態が備える各要素は、技術的に可能な限りにおいて組み合わせることができ、これらを組み合わせたものも本発明の特徴を含む限り本発明の範囲に包含される。
【符号の説明】
【０１０５】
１…トイレ装置
２…便器
１０…タンク装置
２０…貯水タンク（タンク）
１００…受付手段
１０２…排出手段
１０４…供給手段
１０６…水位検出手段
１０８…記憶手段
１０８Ａ…過去データ
１０８Ｂ…設定データ
１１０…実行手段
１１２…判別手段
１１４…選択手段
１１６…復帰手段
【図１】
0006607516.tif 000002
【図２】
0006607516.tif 000003
【図３】
0006607516.tif 000004
【図４】
0006607516.tif 000005
【図５】
0006607516.tif 000006
【図６】
0006607516.tif 000007
【図７】
0006607516.tif 000008